(57)【要約】【課題】  折り畳み式まな板の折り畳みを表面同志の折り畳みと裏面同志の折り畳みの両面で折り畳みの出来るヒンジ部を具備した両面使いの折り畳み式まな板を提供する事。【解決の手段】  一枚のまな板を分割してなる第一まな板１と第ニ２まな板構成のヒンジ付きの折り畳み式まな板において、折り畳みに使うヒンジ部３を双方のまな板の合わせ側面１ａ，２ａの両辺端子で双方まな板に並列して設けた２本のストッパー体４に脱落する事無く、伸縮性のリング体を差し込みストッパー体４を抱き合わせ、双方のまな板の表面１ｂ，２ｂ同志合わせと裏面１ｃ，２ｃ同志合わせの出来る回動構成のヒンジ部３での折り畳み式まな板にしている。【選択図】図１
2011078717.tif 000002
【特許請求の範囲】
【請求項１】
一枚のまな板を分割してなる第一まな板１と第ニまな板２で構成するヒンジ付き折り畳み式まな板において、折り畳みに使うヒンジ部３を双方まな板の合わせ側面１ａ，２ａの両辺端子で、双方まな板に並列する２本のストッパー体４に脱落する事無く、伸縮性のリング体５を差し込みストッパー体４を抱き合わせ、双方のまな板の表面１ｂ，２ｂ同志合わせと裏面１ｃ，２ｃ同志合わせの出来る回動構成のヒンジ部にしたことを特徴とする、折り畳み式まな板。
【請求項２】
前記する第一まな板１と第ニまな板２の合わせ側面１ａ、２ａ，板厚部の一部に薄厚軟質で折り曲げ自在でなるバンド体６を開口部６ａに緩やかに差し込み、双方まな板の折り畳み開閉時で双方まな板の平坦ズレ防止可能にした事を特徴とする請求項１記載の折り畳み式まな板。
【請求項３】
前記する第一まな板１と第ニまな板２との折り畳みでの開成体使用を保持するロックＡとアンロックＢを可能にする為のスライダー７等を使い、双方まな板の両辺側面にそれぞぞれ設けた連結部１Ａ，２Ａに接続係止自在にした事を特徴とする請求項１又は、２項記載の折り畳み式まな板。
【発明の詳細な説明】
【０００１】  この発明は、一枚のまな板をヒンジ部を介し、分割でなるまな板にし、折り畳みの出来るまた板に関し、詳しくは、一枚のまな板を２分割にし、それぞれのまな板を折り畳みにするために構成するヒンジ部が双方のまな板の表面同志合わせと裏面同志合わせの出来る回動でなるヒンジ部を具備した折り畳み式まな板に関する。
【背景技術】
【０００２】  この種の従来の技術として、折り畳み式まな板が特許文献１または、公開実用新案文献２に記載され開示されている。【０００３】  即ち、特許文献１でのこの折り畳み式まな板は、一枚のまな板部材をヒンジの周りで折り畳み可能であるパネル（まな板）に分割するヒンジを画成する薄肉の部分を形成する為に一方の側において溝が形成されている。そしてまた、パネルが概ね共平面である使用位置を超えて前記まな板部材が広げられるのを阻止するように別のパネルと係合するように留め構造体が少なくとも一方のパネルに配置された構成からなる。【０００４】  次にまた、公開実用新案文献２での折りたたみ式まな板は、一枚のまな板を、用途に応じた大きさに変化させて、水の散乱を防ぎ消毒効果を可能にし、更に、まな板の中に包丁を収納出来る折りたたみ式まな板である。これらの構成は一枚のまな板を分割し双方のまな板は合成樹脂製のちょうっがい（ヒンジ部）を介し折り畳みを可能にし、且つ、折り畳んで閉じたまな板が開くのを防ぐための開閉ストッパーと、開いた双方のまな板を閉じないようにホールドする為に固定スライド式ストッパーを使い、更には、まな板の板厚の中心部に包丁を差し込み収納する為の空洞を開口した構成である。【０００５】
【特許文献１】特表２００８−５０９７４４号公報
【公開実用新案文献２】
実開平７−４４９０８号公報
【発明の開示】
【発明が解決しようとする課題】
【０００６】  しかしながら、文献１で記載された折り畳み式まな板では、２枚のまな板のつなぎ合わせに使うヒンジは双方のまな板の食品を載せる表面と同一面で折り曲げ自在でなる伸縮性でなる合成樹脂からなるヒンジで構成することで、まな板の折り畳みは絶えず食品を載せる双方の表面同志にしか折り畳めず、裏面同志の折り畳みが出来ない為、一枚のまな板を用途に応じて半分のサイズに折り畳んだままで食品の調理が出来ない為、小物や少数での調理に不便で、且つ、狭いスペースでのまな板設置に課題が残る。【０００７】  次に、文献２で記載された折りたたみ式まな板では、双方のまな板の折り畳みも文献１と同じ様に、食品の調理面同志しか折り畳みが出来ないという課題がある。このようにまな板に限らず、折り畳みでのヒンジは片面折り畳みが一般的で、表面同志と裏面同志との両用使いの出来るヒンジが強く要望される。即ち、折り畳み式まな板での裏面同志折り畳めたら、例えば、まな板を裏面に折り畳んで、食品を載せる調理面を半分のサイズにすることが出来利便性が高まる等のメリットが生まれる。【０００８】  そしてまた、前記する折り畳み式まな板は、調理面の水洗いや消毒容器に入れるためには開いた一枚のままでの取り扱い難い等の課題が有る。
【課題を解決するための手段】
【０００９】  この発明は、かかる課題を解決する為に、請求項１での発明は、図１での一部分解図での全体斜視図で述べるに、第一まな板１と第ニまな板２とからなる折り畳み式まな板において、折り畳みに使うヒンジ部３を双方の合わせ側面１ａ，２ａの両辺端子の双方まな板に並列して設けた２本のストッパー体４に脱落する事無く、伸縮性のリング体５を差し込み２本のストッパー体３を抱き寄せ、双方のまな板の表面１ｂ，２ｂ同志合わせと、裏面１ｃ，２ｃ同志合わせの回動するヒンジ部３構成の折り畳み式まな板にする。【００１０】  次に、請求項２での発明は、図２での一部断面で示す要部斜視図で述べるに、前記する第一まな板１と第ニまな板２の合わせ側面１ａ，２ａ、板厚部の一部に薄厚軟質で折り曲げ自在でなるバンド体６を開口孔６ａに緩く差し込み、双方まな板の折り畳み開閉持で双方まな板の平坦ズレ防止可能にした折り畳み式まな板の構成にする。【００１１】  次にまた、請求項３での発明は、図３での一部補足図付きでの全体斜視図で述べるに、前記する第一まな板１と第ニまな板２との折り畳みでの開閉体使用において、開成体使用を保持するロッＡとアンロックＢを可能にする為のスライダー７等で、双方まな板の両辺側面にそれぞれ設けた連結部１Ａ，２Ａを中継接続自在の折り畳み式まな板の構成にする。
【発明の効果】
【００１２】  本発明は上述の通り構成作用するので、次の優れた効果を奏する。即ち、請求項１での効果は、一枚のまな板を折り畳んだまま、縮小サイズのまな板にして、両面使いで食品の調理が出来、更に、逆返しでの折り畳みで使えるなど４面使いでの食品の調理が安直に出来且つ、まな板の洗浄は折り畳んだまま出来る便利な折り畳み式まな板を提供出来る。
また、請求項２での効果は、双方のまな板が常時屈曲自在のバンド体で係止される事で、折り畳みがスムーズに双方のまな板がズレル事無く畳める折り畳み式まな板を提供出来る。
また、請求項３での効果は、開いた一枚のままで移動の出来る開成体保持装置を具備した折り畳み式まな板を提供出来る。
【発明を実施するための最良の形態】
【００１３】  以下に図示の実施例に基づいて本発明を更に詳細に説明する。即ち、図１は本発明での第一実施例に基づく全体を示しての斜視図で説明するに、折り畳みに使われるまな板は、一枚の所定サイズでの厚み、巾や、長さでなるが、ニ分割での第一まな板１と第ニまな板２とが同一形状が望ましい、そして、これらの材質は一般的に使われるプラスチック合成樹脂でのポリプロピレンやポリエチレンでの成形加工が最適で、食品調理面にそれぞれ面粗さ仕上げで差別化するなどで、使い勝手に選択出来るまな板にするのに都合が良いが、材質違いのまな板にして差別化しても何ら差し支えない。【００１４】  前記でなる双方のニ分割でのまな板は、双方まな板の合わせ目に隙の無い且つ、段差の生じない、継ぎ手を構成するヒンジ部３は、双方まな板の合わせ側面１ａ，２ａの両辺端子でお互い対向して並列して設けた２本のストッパー体４には、脱落する事無く嵌め込んだ伸縮性でなるリング体５に依って、双方のまな板がリング体５の引っ張り弾発力で折り畳み自在の回動でなるヒンジ部３を構成し、双方まな板の合わせ側面１ａ，２ａが接合状態で双方のまな板の表面１ｂ，２ｂ同志合わせと裏面１ｃ，２ｃ同志合わせが出来る両面使いで且つ、開いたままでの表面と裏面の両用使いを可能な多面使いの折り畳み式まな板構成とする。【００１５】  次に、図２は本発明での第ニ実施例に基づく一部断面での全体斜視図で説明するに、前記する第一まな板１と第ニまな板２のそれぞれの合わせ側面１ａ，２ａでの板厚部の一部で、双方にまたがって設けた袋孔式の開口部６ａに比較的薄い厚みの軟質で折り曲げ復元性の優れたバンド体６を緩やかに差し込み、勝手に飛び出さない構成にし、双方まな板の表面と裏面の両面折り畳み開閉時での双方まな板の平坦ズレを防止する為の装備を具備する折り畳み式まな板とするが、これらのヒンジ的役割を兼ねるバンド体６は材質的にはやや硬めのポリプロピレン樹脂が最適とするが材質は特定するものでない。尚本発明での第ニ実施例での使用例を図４での一部断面での要部斜視図で示すものである。【００１６】  次に第三実施例を一部使用部分図を含んでの全体を示しての斜視図で説明するに、前記する第一まな板１と第ニまな板２との折り畳みでの開成体使用を保持する為のロックＡとアンロックＢを可能にする為にスライダー７を設けた装置で、双方まな板の長手方向の両辺側面での折り畳みヒンジ部３の合わせ部にそれ一体化する棒状の連結部１Ａ，２Ａに前記スライダー７が差し込まれて移動自在に双方を接続ホールドすることで、折り畳まれたまな板を開いたままで、まな板の持ち運びや収納時等で不測に折り畳まるのを防止する事の出来る装置とするが、これらの折り畳み防止装置は、まな板の板厚面より出っ張らない事を特徴とする装置であれば、本発明での実施例に特定するものでない。
【図面の簡単な説明】
【００１７】
【図１】  本発明に係わる第一実施例で一部分解での全体を示しての斜視図である。
【図２】  本発明に係わる第ニ実施例で一部断面での全体を示しての斜視図である。
【図３】  本発明に係わる第三実施例で使用例部分図を含んでの全体斜視図である。
【図４】  本発明に係わる第ニ実施例で一部断面による使用例を示しての斜視図である。
【符合の説明】
【００１８】  Ａ          ロック
Ｂ          アンロック
１          第一まな板
１Ａ，２Ａ  連結部
１ａ，２ａ  合わせ側面
１ｂ，２ｂ  表面
１ｃ，２ｃ  裏面
２          第ニまな板
３          ヒンジ部
４          ストッパー体
５          リング体
６          バンド体
６ａ        開口部
７          スライダー
【図１】
2011078717.tif 000003
【図２】
2011078717.tif 000004
【図３】
2011078717.tif 000005
【図４】
2011078717.tif 000006